(57)【要約】【課題】複数のレンズ群の位置を簡単、かつ、精度よく調整移動することができるレンズ鏡筒を提供する。【解決手段】２群カム筒保持部材１４の１群筒１０に対する光軸方向の位置を調整ワッシャ１５の厚さにより調整して固定する。１群レンズ室１６は、２群カム筒保持部材１４に当てつくまでねじ込む。２群カム筒１１は、２群カム筒保持部材１４に保持されており、２群レンズ室１２の位置を決めるカム溝１１ｃを有している。したがって、調整ワッシャ１５の厚さにより２群カム筒保持部材１４の光軸方向の位置を調整することにより、１群レンズＬ１及び２群レンズＬ２の光軸方向の位置を同一量だけ簡単かつ確実に調整することができる。【選択図】図１
2006106312.tif 000002
【特許請求の範囲】
【請求項１】
光軸方向に移動可能な第１のレンズ群及び第２のレンズ群と、
前記第１のレンズ群と一体となって光軸方向に移動可能な移動筒と、
前記移動筒に対する光軸方向の位置が調整可能となるように前記移動筒に直接又は間接的に取り付けられる保持部材と、
前記保持部材によって光軸まわりにおいて回転可能かつ光軸方向の位置を規制された状態で保持され、前記移動筒と一体となって光軸方向に移動可能な部材であって、前記第２のレンズ群の光軸方向の位置を決める回転筒と、
を有するレンズ鏡筒。
【請求項２】
請求項１に記載のレンズ鏡筒において、
前記第１のレンズ群を保持する第１のレンズ群保持枠を有し、
前記第１のレンズ群保持枠は、前記移動筒に設けられたねじ部と前記第１のレンズ群保持枠に設けられたねじ部とがねじ結合しており、
前記第１のレンズ群保持枠は、前記移動筒との間に少なくとも前記保持部材を挟む状態で前記移動筒に対して取り付けられることにより、前記保持部材の調整された光軸方向の調整量と等しい調整量分の位置調整が行われた状態で前記移動筒に対して取り付けられていること、
を特徴とするレンズ鏡筒。
【請求項３】
請求項１に記載のレンズ鏡筒において、
前記保持部材は、前記第１のレンズ群を保持する枠を兼ねていること、
を特徴とするレンズ鏡筒。
【請求項４】
請求項１から請求項３までのいずれか１項に記載のレンズ鏡筒において、
前記保持部材は、前記移動筒との間に光軸方向の位置調整用の間座を挟む間座当て付け部を有すること、
を特徴とするレンズ鏡筒。
【請求項５】
請求項４に記載のレンズ鏡筒において、
前記保持部材は、前記移動筒との間に挟まれた前記間座を、前記保持部材を取り外すことなく前記間座に外部から接触することが可能な間座接触用開口部を有していること、
を特徴とするレンズ鏡筒。
【請求項６】
請求項１に記載のレンズ鏡筒において、
前記第１のレンズ群を保持する第１のレンズ群保持枠を有し、
前記第１のレンズ群保持枠は、前記移動筒に設けられたねじ部と前記第１のレンズ群保持枠に設けられたねじ部とがねじ結合しており、
前記第１のレンズ群保持枠は、前記ねじ結合のねじ込み量を調整することにより前記移動筒に対する光軸方向の位置を調整され、
前記保持部材は、前記第１のレンズ群保持枠に対して光軸方向において係合することにより、光軸方向の位置が規制されること、
を特徴とするレンズ鏡筒。
【請求項７】
請求項１から請求項６までのいずれか１項に記載のレンズ鏡筒において、
最も被写体側に配置される前玉レンズよりも被写体側において開閉することにより前記前玉レンズを保護するレンズバリア機構を有し、
前記バリア機構は、前記保持部材に対して取り付けられていること、
を特徴とするレンズ鏡筒。
【発明の詳細な説明】
【技術分野】
【０００１】
本発明は、カメラ等のレンズ鏡筒に関するものである。
【背景技術】
【０００２】
カメラ等に使用されるズームレンズ鏡筒において、複数あるレンズ群の内、いくつかのレンズ群の位置を光軸方向にずらすことによって、広角側と望遠側での像面位置をそろえる調整をしたり、全光学系を一律に動かしてバックフォーカスを調整したりすることがある。特に変倍比の大きな光学系においては、１つのレンズ群ではなく複数のレンズ群の光軸方向の位置を調整（移動）して広角側と望遠側の像面位置をそろえる方が望ましいことがある。たとえば、第１群と第２群を同じ量だけ光軸方向に動かすことによって広角側と望遠側の像面位置を調整することがある。
【０００３】
望遠側と広角側の像面位置をそろえるために従来は、各群のレンズ枠にねじを設け、それぞれレンズ枠を回転して広角側と望遠側の像面位置を調整することが行われていた。
しかし、複数のレンズ群の光軸方向の位置を同じ量だけ移動する調整では、各群を同一量だけ同時に動かす必要があり、調整用の装置が複雑になるという問題があった。また、この各群のレンズ枠にねじを設ける手法では、レンズ鏡筒の外部に露出した第１群は、鏡筒外部からレンズ枠を回転しやすいが、第２群は、レンズ鏡筒の中にあるのでレンズ枠を回転することが困難であるという問題があった。
【０００４】
また、望遠側と広角側の像面位置をそろえるために従来は、第１群，第２群を保持する鏡筒部組とそれ以外の群を保持する鏡筒部組とに分けて構成し、各々を独立してＣＣＤ台に取り付けて１つのレンズ鏡筒とする。そうすることで第１群，第２群を他の群と独立して移動させることができ、取り付け部をワッシャなどで光軸方向に前後させることにより広角側と望遠側の像面位置を調整することが行われていた。
しかし、鏡筒部組を独立してＣＣＤ台に取り付ける手法では、第１群，第２群以外の群の繰り出し量が大きい場合、第１群，第２群以外の群を駆動する機構が複雑になり、大きくなってしまうという問題があった。
【０００５】
さらに、望遠側と広角側の像面位置をそろえるために従来は、第１群のレンズ枠にねじを設け、第２群は、ステッピングモータのパルス数で電子カムをシフトすることにより広角側と望遠側の像面位置を調整することが行われていた。
しかし、この手法は、ステッピングモータを使用しないレンズ駆動方式の場合、適用できないという問題があった。
【０００６】
さらにまた、レンズ鏡筒内部のレンズ群を動かして調整する場合に、背面側（結像面側）から調整する手法が行われていた。
しかし、背面側から調整する手法では、前側（被写体側）にあるレンズ群の調整作業が難しいという問題があった。また、その場合に、一旦沈胴させてから調整する必要があることもあるという問題があった。
【０００７】
ところで、特許文献１に記載のレンズ鏡筒では、１群筒の周りを回転するカム筒で第２群以下を駆動する形態として、第２群以下を基準に第１群を調整している。
しかし、特許文献１に記載の手法では、第２群を第１群と共に移動して調整することができないという問題があった。
【０００８】
また、特許文献２，３に記載のレンズ鏡筒では、カムを動かすことによってカムに連動する複数の群を調整可能とする技術が開示されている。
しかし、特許文献２，３に記載の手法では、カムを動かすために必要な部材（特許文献２におけるスラスト部材，特許文献３におけるベース部材）がレンズ鏡筒の外周側に突出して取り付けられる必要があり、レンズ鏡筒の外形が大型化したり、外観の一部を突出させたりする必要があるという問題があり、特に多段沈胴鏡筒の先端に取り付くレンズを調整する場合、鏡筒はかなり大型化してしまう。
【特許文献１】特開２００１−２１５３８１号公報
【特許文献２】特開平１−２０７７２７号公報
【特許文献３】特開平５−３４５５７号公報
【発明の開示】
【発明が解決しようとする課題】
【０００９】
本発明の課題は、複数のレンズ群の位置を簡単、かつ、精度よく調整移動することができるレンズ鏡筒を提供することである。
【課題を解決するための手段】
【００１０】
本発明は、以下のような解決手段により、前記課題を解決する。なお、理解を容易にするために、本発明の実施例に対応する符号を付して説明するが、これに限定されるものではない。
請求項１の発明は、光軸方向に移動可能な第１のレンズ群（Ｌ１）及び第２のレンズ群（Ｌ２）と、前記第１のレンズ群と一体となって光軸方向に移動可能な移動筒（１０）と、前記移動筒に対する光軸方向の位置が調整可能となるように前記移動筒に直接又は間接的に取り付けられる保持部材（１４）と、前記保持部材によって光軸まわりにおいて回転可能かつ光軸方向の位置を規制された状態で保持され、前記移動筒と一体となって光軸方向に移動可能な部材であって、前記第２のレンズ群の光軸方向の位置を決める回転筒（１１）と、を有するレンズ鏡筒である。
なお、請求項１の発明は、鏡筒内部にあるレンズ群のみの光軸方向の位置を調整する場合も含む。
【００１１】
請求項２の発明は、請求項１に記載のレンズ鏡筒において、前記第１のレンズ群（Ｌ１）を保持する第１のレンズ群保持枠（１６）を有し、前記第１のレンズ群保持枠は、前記移動筒（１０）に設けられたねじ部（１０ｃ）と前記第１のレンズ群保持枠に設けられたねじ部（１６ａ）とがねじ結合しており、前記第１のレンズ群保持枠は、前記移動筒（１０）との間に少なくとも前記保持部材（１４）を挟む状態で前記移動筒に対して取り付けられることにより、前記保持部材の調整された光軸方向の調整量と等しい調整量分の位置調整が行われた状態で前記移動筒に対して取り付けられていること、を特徴とするレンズ鏡筒である。
請求項３の発明は、請求項１に記載のレンズ鏡筒において、前記保持部材（３１６）は、前記第１のレンズ群（Ｌ１）を保持する枠を兼ねていること、を特徴とするレンズ鏡筒である。
請求項４の発明は、請求項１から請求項３までのいずれか１項に記載のレンズ鏡筒において、前記保持部材（１４）は、前記移動筒（１０）との間に光軸方向の位置調整用の間座（１５）を挟む間座当て付け部（１４ｄ）を有すること、を特徴とするレンズ鏡筒である。
請求項５の発明は、請求項４に記載のレンズ鏡筒において、前記保持部材（１４）は、前記移動筒（１０）との間に挟まれた前記間座（１５）を、前記保持部材（１４）を取り外すことなく前記間座に外部から接触することが可能な間座接触用開口部（１４ｃ）を有していること、を特徴とするレンズ鏡筒である。
請求項６の発明は、請求項１に記載のレンズ鏡筒において、前記第１のレンズ群（Ｌ１）を保持する第１のレンズ群保持枠（２１６）を有し、前記第１のレンズ群保持枠は、前記移動筒（１０）に設けられたねじ部（１０ｃ）と前記第１のレンズ群保持枠に設けられたねじ部（２１６ａ）とがねじ結合しており、前記第１のレンズ群保持枠は、前記ねじ結合のねじ込み量を調整することにより前記移動筒に対する光軸方向の位置を調整され、前記保持部材（２１４）は、前記第１のレンズ群保持枠に対して光軸方向において係合することにより、光軸方向の位置が規制されること、を特徴とするレンズ鏡筒である。
請求項７の発明は、請求項１から請求項６までのいずれか１項に記載のレンズ鏡筒において、最も被写体側に配置される前玉レンズ（Ｌ１）よりも被写体側において開閉することにより前記前玉レンズを保護するレンズバリア機構を有し、前記バリア機構は、前記保持部材に対して取り付けられていること、を特徴とするレンズ鏡筒である。
【発明の効果】
【００１２】
本発明によれば、以下の効果を奏することができる。
（１）第１のレンズ群と一体となって光軸方向に移動可能な移動筒と、移動筒に対する光軸方向の位置が調整可能となるように移動筒に直接又は間接的に取り付けられる保持部材と、保持部材によって光軸まわりにおいて回転可能かつ光軸方向の位置を規制された状態で保持され、移動筒と一体となって光軸方向に移動可能な部材であって、第２のレンズ群の光軸方向の位置を決める回転筒を有するので、第１のレンズ群及び第２のレンズ群を同一量だけ光軸方向に沿った方向に移動する調整を簡単かつ確実に行うことができる。
【００１３】
（２）第１のレンズ群保持枠は、移動筒との間に少なくとも保持部材を挟む状態で移動筒に対して取り付けられることにより、保持部材の調整された光軸方向の調整量と等しい調整量分の位置調整が行われた状態で移動筒に対して取り付けられているので、第１のレンズ群保持枠をねじ込むだけで、第２のレンズ群の調整移動量に等しい量だけ第１のレンズ群を調整移動した状態で組み立てることができる。
【００１４】
（３）保持部材は、第１のレンズ群を保持する枠を兼ねているので、部品点数を減らし、累積公差を減らすことにより、第１のレンズ群と第２のレンズ群との間の群間隔を精度よく組み立てることができる。
【００１５】
（４）保持部材は、移動筒との間に光軸方向の位置調整用の間座を挟む間座当て付け部を有するので、間座の厚さを変更するだけで、第１のレンズ群及び第２のレンズ群を同一量だけ光軸方向に沿った方向に移動する調整を確実に行うことができる。
【００１６】
（５）保持部材は、移動筒との間に挟まれた間座を、保持部材を取り外すことなく間座に外部から接触することが可能な間座接触用開口部を有しているので、レンズ群の位置調整を簡単に行うことができる。
【００１７】
（６）第１のレンズ群保持枠は、ねじ結合のねじ込み量を調整することにより移動筒に対する光軸方向の位置を調整され、保持部材は、第１のレンズ群保持枠に対して光軸方向において係合することにより、光軸方向の位置が規制されるので、調整用に寸法の異なる部品を必要とせずに、調整作業を比較的簡単にすることができる。また、調整用に寸法の異なる部品を多数保管しなくとも、調整を行うことができる。
【００１８】
（７）バリア機構は、保持部材に対して取り付けられているので、調整量によって、バリア機構と回転筒との隙間が変化してしまうことを防止できる。隙間が大きくなるとバリアの開口部も大きくなり、羽根の退避スペース不足による鏡筒の大型化も避けられる。
【発明を実施するための最良の形態】
【００１９】
複数のレンズ群の位置を簡単、かつ、精度よく調整移動するという目的を、レンズ群を駆動するカムをレンズ群の周りを回転するカム筒に設けたレンズ鏡筒において実現した。
【実施例１】
【００２０】
図１は、本発明によるレンズ鏡筒を備えたカメラの実施例１を示す図である。図１（ａ），（ｂ）は、それぞれカメラの正面図と上面図を示している。また、図１（ａ）では、二点鎖線で囲んだ範囲内は、内部を透視して示している。
本実施例におけるカメラは、レンズ鏡筒１により結像した映像を後述のＣＣＤ２１によって電子的に撮影するいわゆるデジタルスチルカメラである。本実施例におけるレンズ鏡筒１は、焦点距離を任意に変化させることができるズームレンズ鏡筒であり、広角状態〜望遠状態の他に、広角状態よりもさらにレンズをカメラ本体側に縮めて小型にしたいわゆる沈胴状態とすることができる。
カメラの内部には、ズームモータ２，ウォームギア３，ＰＩ４，ギア列５，長ギア６等を内部に有している。
【００２１】
ズームモータ２は、レンズ鏡筒１を沈胴状態〜広角状態〜望遠状態と駆動する駆動源となるモータである。
ウォームギア３は、ズームモータ２の出力軸に圧入されておりギア列５の初段ギアとかみ合っている。また、ウォームギア３には、光を透過する部分と遮光する部分とが回転円周方向に沿って交互に形成されたスリット板部が設けられている。
ＰＩ（フォトインタラプタ）４は、透過型光センサであり、その投光部と受光部との間にウォームギア３のスリット板部が挿入されている。
【００２２】
ギア列５は、ウォームギア３の回転を長ギア６へ伝達するギア列であり、ウォームギア３の回転をレンズ鏡筒１の駆動に必要なだけ減速して長ギア６へ伝達する。
長ギア６は、後述のカム筒７のギア／ヘリコイド部７ａとかみ合い、回転力をカム筒７に伝える。
本実施例におけるレンズ鏡筒のズーム動作（沈胴状態〜広角状態〜望遠状態を変化する動作をズーム動作と総称する）時における制御は、まず、沈胴位置付近において不図示のＰＲ（フォトリフレクタ：反射型光センサ）の端部が通過するようにカム筒７に貼り付けられた不図示の反射テープの端部を、上記ＰＲによって検出し、そのときのカム筒の位置を基準位置とする。そして、この基準位置からのウォームギア３の回転量をＰＩ４によって検出する。ウォームギア３の回転量は、カム筒７の回転量と比例関係で対応し、また、ウォームギア３の回転は、減速されてカム筒７に伝わるので、ウォームギア３の回転に基づいて制御を行うことにより、カム筒７の回転を高い分解能で高精度に制御することができる。
【００２３】
図２は、レンズ鏡筒１の沈胴状態におけるＡ−Ａ断面の主要部を示す図である。
図３は、レンズ鏡筒１の撮影状態におけるＡ−Ａ断面の主要部を示す図である。図３（ａ）は、広角端の状態を示し、図３（ｂ）は、望遠端の状態を示している。
本実施例におけるレンズ鏡筒１は、カム筒７，固定筒８，直進キー９，１群筒１０，２群カム筒１１，２群レンズ室１２，飾り環１３，２群カム筒保持部材１４，調整ワッシャ１５，１群レンズ室１６，４群カムフォロア１７，４群レンズ室１８，４群付勢ばね１９，ＣＣＤ台２０，ＣＣＤ２１，実装基板２２，バリア羽根２３ａ〜ｄ，バリアカバー２４，２５，バリア駆動リング２６，バリア駆動リング付勢ばね２７，ビス２８，２９，ＡＦモータ３０，シャッタ３１，１群レンズＬ１，２群レンズＬ２，３群レンズＬ３，４群レンズＬ４，５群レンズＬ５等を有している。
【００２４】
カム筒７は、固定筒８の内側に形成された雌ヘリコイドに対してギア／ヘリコイド部７ａの雄ヘリコイドがヘリコイド嵌合した略円筒状の部材である。このギア／ヘリコイド部７ａには、上述した長ギア６とかみ合うギア形状と、雄ヘリコイド形状とが同一部分に形成されている。カム筒７は、長ギア６から回転力を受けて回転すると、上記ヘリコイド嵌合によって、回転しながら光軸に沿って移動可能である。カム筒７には、回転伝達溝７ｂ，カム溝７ｃ，７ｄ，バヨネット部７ｅが形成されている。
【００２５】
直進キー９は、バヨネット部９ａがバヨネット部７ｅと係合しており、カム筒７との関係は、回転自在であるが、不図示の部分が固定筒の回転制限部（付図示）と係合していることから、回転することなく、カム筒７と一体的に光軸方向に沿って移動する。
また、直進キー９は、３群レンズＬ３を保持しており、直進キー９がカム筒７と同量だけ光軸方向に移動することにより、３群レンズＬ３も同量移動する。
さらに、直進キー９は後述の１群筒１０の回転を規制して直進ガイドする直進リブ９ｂと、後述の４群カムフォロア１７の回転を規制して直進ガイドする直進溝９ｃとを有している。
【００２６】
１群筒１０は、光軸方向に移動する移動筒であり、１群筒カムフォロア１０ａがカム溝７ｃに係合し、直進溝１０ｂに直進リブ９ｂが係合している。したがって、カム筒７が回転しながら光軸方向に移動すると、１群筒１０は、回転することなく光軸方向に移動する。１群筒１０の被写体側端部には、ねじ部１０ｃが形成されており、このねじ部１０ｃに１群レンズＬ１を保持する１群レンズ室１６のねじ部１６ａがねじ結合している。したがって、１群筒１０は、１群レンズＬ１と一体となって光軸方向に移動する。また、１群筒１０には、直進溝１０ｄが形成されている。
【００２７】
２群カム筒１１は、後述の２群レンズ室１２を介して２群レンズＬ２の光軸方向の位置を決める回転筒である。２群カム筒１１は、後述の２群カム筒保持部材１４の２群カム筒保持部材溝１４ａに対して２群カム筒爪１１ａが係合し、回転伝達凸部１１ｂが回転伝達溝７ｂに係合している。したがって、２群カム筒１１は、２群カム筒保持部材１４によって光軸まわりにおいて回転可能かつ光軸方向の位置を規制された状態で保持され、１群筒１０と一体となって光軸方向に移動可能である。また、２群カム筒１１には、カム溝１１ｃが形成されている。
なお、２群カム筒１１は、被写体側より組み立てられる。
【００２８】
２群レンズ室１２は、２群レンズＬ２を保持する部材であり、２群カムフォロア１１ａの中間部分が直進溝１０ｄにより直進ガイドされて回転を制限され、かつ、２群カムフォロア１１ａの先端部分が２群カム筒１１のカム溝１１ｃに係合している。
したがって、２群レンズ室１２は、カム溝１１ｃにしたがって回転を伴わずに光軸方向に移動する。
【００２９】
飾り環１３は、カム筒７の回転伝達溝７ｂに２群カム筒１１の回転伝達凸部１１ｂを挿入しながら２群カム筒１１を被写体側より組み立てた後に、回転伝達溝７ｂを覆うように取り付けられる目隠しとなる部材である。
【００３０】
２群カム筒保持部材１４は、２群カム筒１１を保持する部材であり、間座当て付け部１４ｄにおいて調整ワッシャ１５を挟んで１群筒１０に対してビス２８により固定されている。
図４は、２群カム筒１１，２群カム筒保持部材１４，調整ワッシャ１５，ビス２８のみを被写体側から見た図である。
２群カム筒保持部材１４は、２群カム筒保持部材溝１４ａに２群カム筒爪１１ａが係合することにより２群カム筒１１の光軸方向の位置を決めている。したがって、２群カム筒保持部材１４と１群筒１０との間にある調整ワッシャ１５の厚さを変えることによって２群カム筒１１の光軸方向の位置を調整することができる。２群カム筒保持部材１４には、調整ワッシャ１５の挿入、及び、取り外し時に利用する間座接触用開口部として切り欠き部１４ｃを有している。
また、２群カム筒保持部材１４は、バリア駆動リング２６をバヨネット部１４ｂによってバヨネット結合して光軸周りに回転可能に保持し、さらにバリア駆動リング付勢ばね２７のバネ掛け部を構成している。
【００３１】
調整ワッシャ１５は、１群筒１０と２群カム筒保持部材１４との間に挟まる位置に挿入され、その厚みによって２群カム筒保持部材の光軸方向の位置を変化させる間座となる部材である。なお、調整ワッシャ１５は、２群カム筒保持部材１４の必要な移動量によっては、取り外して使用する場合もあり得る。
【００３２】
図５は、調整ワッシャ１５を被写体側から見た図である。
調整ワッシャ１５には、ビス２８が貫通するビス孔１５ａと、２群カム筒保持部材１４と１群筒１０との間に挿入、及び、取り外しするときに工具を引っ掛けて作業性を向上させるための作業用孔１５ｂとが設けられている。なお、図５には、２群カム筒保持部材１４の切り欠き部１４ｃを破線により示している。
調整ワッシャ１５は、同じ厚さのもの３枚を一組として用いる。このように複数枚に分割することにより、容易にその交換を行うことができる。交換する場合には、ビス２８を取り外し、ピンセットなどの工具を作業用孔１５ｂに引っ掛けて調整ワッシャ１５を取り外し、厚さの異なる調整ワッシャ１５を取り外しと逆の順序で組み付けることができる。
【００３３】
１群レンズ室１６は、１群レンズＬ１を保持する第１のレンズ群保持枠であり、先に述べたように、１群筒１０のねじ部１０ｃにねじ部１６ａがねじ結合しており、その状態を保つために、１群レンズ室１６は、接着固定されている。ここで、１群レンズ室１６は、２群カム筒保持部材１４に当接するまでねじ込まれる。したがって２群カム筒保持部材１４が光軸方向に移動すれば、同じ量だけ１群レンズ室１６も移動する。なお、１群レンズ室１６をねじ込むときに、２群カム筒保持部材１４に当接する手前で接着すれば、１群レンズ室１６の光軸に沿った方向の位置を微調整することができる。
【００３４】
４群カムフォロア１７は、カム筒７のカム溝７ｄに係合部１７ａが係合し、カム溝７ｄにしたがい移動する部材である。４群カムフォロア１７は、後述の４群レンズ室１８との間に、引っ張りばねである４群付勢ばね１９が掛けられ、４群カムフォロア１７と４群レンズ室１８とが互いに近づく方向に付勢されている。
【００３５】
４群レンズ室１８は、直進キー９により回転規制されながら、光軸方向に移動可能に支持されており、４群レンズＬ４を保持する部材である。
図２に示す沈胴状態では、４群レンズ室１８にＣＣＤ台２０の４群レンズ受け部２０ａによって沈胴量が規制され、４群付勢ばね１９をチャージしながら４群カムフォロア１７のみ沈胴を続ける。
図３に示す撮影状態では、４群レンズ室１８は、４群付勢ばね１９により４群カムフォロア１７に当て付き、カム筒７のカム溝７ｄによって光軸方向の位置が規定される。
【００３６】
ＣＣＤ台２０は、ＣＣＤ２１の位置を正確に保持する部材であり、固定筒８が一体に固定されている。
ＣＣＤ２１は、撮像面に形成される像を電気信号に変換して出力する撮像素子であり、ローパスフィルタ２１ａがその前面に配置されている。
実装基板２２は、ＣＣＤ２１が実装されている電気基板である。
図６は、バリア羽根２３ａ〜ｄ及びバリアカバー２４，２５付近を示す図であり、図１に示すＢ−Ｂ断面図である。
バリア羽根２３ａ〜ｄは、沈胴状態において前玉レンズである１群レンズＬ１を保護する部材であり、バリアカバー２４，２５により挟まれている。
バリアカバー２４，２５は、バリア羽根２３ａ〜ｄを挟んだ状態で、２群カム筒保持部材１４にビス２９により固定されている。
【００３７】
バリア駆動リング２６は、沈胴状態と広角端状態との間でバリア羽根２３ａ〜ｄを開閉するときに回転する環状の部材であり、バリア駆動リング付勢ばね２７により開方向に付勢された状態で２群カム筒保持部材１４に支持されている。カメラの電源がＯＦＦされて、撮影状態から沈胴状態へと駆動されるときには、バリア駆動リング２６の不図示の係合部が２群カム筒１１から回転力を得て、バリア駆動リング付勢ばね２７の付勢力に抗してバリア駆動リング２６が回転してバリア羽根２３ａ〜ｄを閉じる。
【００３８】
本実施例では、これらバリア機構を２群カム筒保持部材１４に対して取り付けているので、２群カム筒保持部材１４とバリアカバー２４との間に生じる隙間が、調整ワッシャ１５の厚さを変えても変わらず、外観上で隙間が目立ってしまったり、商品ごとに隙間がばらついてしまったりすることを防止できる。
ＡＦモータ３０は、５群レンズＬ５を駆動するステッピングモータである。
シャッタ３１は、直進キー９に固定されており、３群レンズＬ３と一体で光軸方向に移動する。
【００３９】
図７は、調整ワッシャ１５の厚さを変えることによる２群カム筒保持部材１４の位置変化を示す図である。
図７（ａ）は、調整ワッシャ１５を取り外した状態を示し、図７（ｂ）は、図２，３に示したものの２倍の厚さの調整ワッシャ１５を取り付けた状態を示している。
図７に示すように、調整ワッシャ１５の厚さ、及び、その有無によって、２群カム筒保持部材１４と２群カム筒１１の光軸方向の位置を任意の量だけ調整することができる。ここで、１群レンズＬ１の光軸方向の位置は、２群カム筒保持部材１４の位置により決まり、また、２群レンズＬ２の位置は、２群カム筒保持部材１４の位置によりその位置が決まる２群カム筒１１の位置により決まる。したがって、１群レンズＬ１及び２群レンズＬ２は、調整ワッシャ１５による２群カム筒保持部材１４の光軸方向の移動量と同一の移動量だけ共に移動する。
【００４０】
本実施例によれば、２群カム筒保持部材１４の光軸方向の位置を調整することにより、１群レンズＬ１及び２群レンズＬ２の位置を簡単、かつ、正確に同一量移動することができる。
【実施例２】
【００４１】
図８は、本発明によるレンズ鏡筒を備えたカメラの実施例２を示す図である。
なお、実施例２は、実施例１のレンズ鏡筒における２群カム筒保持部材１４及び１群レンズ室１６を改良した２群カム筒保持部材２１４及び１群レンズ室２１６を用いた点のみが異なるので、前述した実施例１と同様の機能を果たす部分には、同一の符号を付して、重複する説明を適宜省略する。
１群レンズ室２１６は、１群レンズＬ１を保持する部材であり、１群筒１０のねじ部１０ｃにねじ部２１６ａがねじ結合しており、その状態を保つために、１群レンズ室２１６は、接着固定されている。ここで、実施例２における１群レンズ室２１６は、実施例１における１群レンズ室１６とは異なり、ねじ込み量を調整され、調整された位置で接着固定される。また、１群レンズ室２１６は、バヨネット部２１６ｂを有している。
【００４２】
２群カム筒保持部材２１４は、２群カム筒１１を保持する部材であり、バヨネット部２１４ｂがバヨネット部２１６ｂに係合することにより１群レンズ室１６に対して一体的に固定されている。
また、２群カム筒保持部材２１４は、実施例１における２群カム筒保持部材１４と同様に、２群カム筒保持部材溝２１４ａに２群カム筒爪１１ａが係合することにより２群カム筒１１の光軸方向の位置を決めている。
【００４３】
本実施例では、１群レンズ室２１６は、ねじ部２１６ａのねじ込み量を変えることにより１群筒１０に対して光軸方向に移動可能である。その移動と一体に２群カム筒保持部材２１４は、光軸方向に移動する。さらに２群カム筒保持部材２１４によって光軸方向の位置決めがなされる２群カム筒１１も一体に移動する。したがって、１群レンズ室２１６の光軸方向の位置を調整することにより、１群レンズＬ１及び２群レンズＬ２の光軸方向の位置を同一量調整することができる。この実施例２では、実施例１における調整ワッシャ１５のような選択部品を用いないため調整作業を比較的簡単にすることができる。また、多数の調整ワッシャ１５を用意する必要もない。
【実施例３】
【００４４】
図９は、本発明によるレンズ鏡筒を備えたカメラの実施例３を示す図である。
なお、実施例３は、実施例１のレンズ鏡筒における２群カム筒保持部材１４及び１群レンズ室１６を一部品とした１群レンズ室３１６に変更し、実施例１のレンズ鏡筒における１群筒１０の一部形状を変更した１群筒３１０を用いた形態であるので、前述した実施例１と同様の機能を果たす部分には、同一の符号を付して、重複する説明を適宜省略する。
１群筒３１０は、実施例１における１群筒１０のねじ部１０ｃを形成していない点を除き、１群筒１０と同様な部材である。
１群レンズ室３１６は、１群レンズＬ１を保持する部材であると共に、２群カム筒１１を保持する部材であり、調整ワッシャ１５を挟んで１群筒３１０に対してビス２８により固定されている。
実施例２では、１群レンズ室３１６が１群レンズＬ１及び２群カム筒１１の光軸方向の位置を決めている。したがって、１群レンズ室３１６の光軸方向の位置を調整ワッシャ１５により調整することにより、１群レンズＬ１及び２群レンズＬ２の光軸方向の位置を同一量調整することができる。
また、２群カム筒保持部材１４及び１群レンズ室１６を一部品とした１群レンズ室３１６に変更したことにより、部品点数を減らすことができ、各部品の公差（製造上の部品寸法のばらつき）によって生じる１群レンズＬ１と２群レンズＬ２との間の群間隔の累積公差を減少させることができる。
【００４５】
（変形例）
以上説明した実施例に限定されることなく、種々の変形や変更が可能であって、それらも本発明の均等の範囲内である。
各実施例において、撮像素子を用いて撮影を行うデジタルスチルカメラのレンズ鏡筒の例を挙げて説明したが、これに限らず、例えば、動画の撮影を主に行ういわゆるビデオカメラのレンズ鏡筒であってもよいし、静止画及び動画の撮影を行うことができるカメラのレンズ鏡筒であってもよいし、銀塩フィルムを使うカメラのレンズ鏡筒であってもよい。
【００４６】
また、各実施例において、同一移動量の調整を行う第１のレンズ群及び第２のレンズ群としては、１群レンズＬ１を第１のレンズ群とし、２群レンズＬ２を第２のレンズ群とした例を示したが、これに限らず、他のレンズ群を請求項における第１のレンズ群及び第２のレンズ群として同一移動量の調整を行ってもよい。
【図面の簡単な説明】
【００４７】
【図１】本発明によるレンズ鏡筒を備えたカメラの実施例１を示す図である。
【図２】レンズ鏡筒１の沈胴状態におけるＡ−Ａ断面の主要部を示す図である。
【図３】レンズ鏡筒１の撮影状態におけるＡ−Ａ断面の主要部を示す図である。
【図４】２群カム筒１１，２群カム筒保持部材１４，調整ワッシャ１５，ビス２８のみを被写体側から見た図である。
【図５】調整ワッシャ１５を被写体側から見た図である。
【図６】バリア羽根２３ａ〜ｄ及びバリアカバー２４，２５付近を示す図であり、図１に示すＢ−Ｂ断面図である。
【図７】調整ワッシャ１５の厚さを変えることによる２群カム筒保持部材１４の位置変化を示す図である。
【図８】本発明によるレンズ鏡筒を備えたカメラの実施例２を示す図である。
【図９】本発明によるレンズ鏡筒を備えたカメラの実施例３を示す図である。
【符号の説明】
【００４８】
１  レンズ鏡筒
２  ズームモータ
３  ウォームギア
４  ＰＩ
５  ギア列
６  長ギア
７  カム筒
８  固定筒
９  直進キー
１０  １群筒
１１  ２群カム筒
１２  ２群レンズ室
１３  飾り環
１４  ２群カム筒保持部材
１５  調整ワッシャ
１６  １群レンズ室
１７  ４群カムフォロア
１８  ４群レンズ室
１９  ４群付勢ばね
２０  ＣＣＤ台
２１  ＣＣＤ
２２  実装基板
２３ａ〜ｄ  バリア羽根
２４，２５  バリアカバー
２６  バリア駆動リング
２７  バリア駆動リング付勢ばね
２８，２９  ビス
３０  ＡＦモータ
３１  シャッタ
Ｌ１  １群レンズ
Ｌ２  ２群レンズ
Ｌ３  ３群レンズ
Ｌ４  ４群レンズ
Ｌ５  ５群レンズ
【図１】
2006106312.tif 000003
【図２】
2006106312.tif 000004
【図３】
2006106312.tif 000005
【図４】
2006106312.tif 000006
【図５】
2006106312.tif 000007
【図６】
2006106312.tif 000008
【図７】
2006106312.tif 000009
【図８】
2006106312.tif 000010
【図９】
2006106312.tif 000011